(57)【要約】【課題】  塗料噴霧装置を用いて、グラデーション長さが調整された管状体を得るための塗装方法が求められていた。【解決手段】  噴霧塗布装置または管状体の固定装置がリニアガイドに沿って移動する構造を有する装置を用いて塗布する方法であって、（工程１）塗料噴霧装置の吹き出し角度を任意の角度に変更する工程（工程２）塗料噴霧装置または管状体の固定装置をリニアガイドにそって移動させながら周方向に回転している管状体に塗料を噴霧し、軸線方向にグラデーションを形成する工程を有する管状体の塗装方法。を有する管状体の塗装方法。【選択図】  図１
2016010772.tif 000002
【特許請求の範囲】
【請求項１】
噴霧塗布装置または管状体の固定装置がリニアガイドに沿って移動する構造を有する装置を用いて塗布する方法であって、
（工程１）塗料噴霧装置の吹き出し角度を任意の角度に変更する工程
（工程２）塗料噴霧装置または管状体の固定装置をリニアガイドにそって移動させながら周方向に回転している管状体に塗料を噴霧し、軸線方向にグラデーションを形成する工程を有する管状体の塗装方法。
【請求項２】
噴霧塗布装置がリニアガイドに沿って移動する構造を有する装置を用いて管状体を塗布する方法であって、
（工程１）塗料噴霧装置の吹き出し角度を任意の角度に変更する工程
（工程２）塗料噴霧装置または管状体の固定装置をリニアガイドにそって移動させながら周方向に回転している管状体に塗料を噴霧し、軸線方向にグラデーションを形成する工程を有する管状体の塗装方法。
【請求項３】
塗料噴霧装置を管状体に対して垂直に保持している状態を水平方向とし、塗料噴霧装置を管状体と同じ軸線状に対して角度を変える方向を垂直方向とすると、塗料噴霧装置の吹き出し角度を水平方向から垂直方向に任意の角度動かし固定することで軸線方向のグラデーション幅を調整する塗装方法。
【請求項４】
リニアガイドに沿って移動する噴霧塗布装置と管状体との距離を移動させることにより、軸線方向のグラデーション幅を調整する塗装方法。
【請求項５】
塗料噴霧装置または管状体の固定装置の移動速度を変化させることにより、更に管状体の軸線方向にグラデーションを形成する請求項１〜４のいずれかに記載の塗布方法。
【請求項６】
リニアガイドが鉛直方向に設けられていることを特徴とする請求項１〜５のいずれかに記載の塗布方法。
【発明の詳細な説明】
【技術分野】
【０００１】
本発明は、管状体の塗装方法に関するものである。管状体として、ゴルフシャフト（ゴルフクラブシャフト）、釣竿、スキーストック等のスポーツ用品が挙げられ、特にゴルフシャフト（ゴルフクラブシャフト）が好ましい。
【背景技術】
【０００２】
管状体、特にゴルフシャフトは外観の意匠性を持たせるために、塗装が行われている。管状体の塗装方法として、しごき塗装や噴霧塗装が一般的に行われている。しごき塗装では管状体表面に塗料を供給しつつ、ゴムシートに設けられた管状体外径よりも小径の穴に管状体を通し、ゴムシートにより余剰の塗料をしごき落としながら塗装する塗装方法である。噴霧塗装では、塗料噴霧装置を用いて、霧状に噴霧された塗料を管状体表面に吹付ける方法であり、グラデーションを持たせた塗装体を得ることができる。
【０００３】
例えば、特許文献１では、管状体を長手方向に設置し、長手方向の位置及び移動速度が互いに独立して制御される２つの噴霧装置を用い、２色の塗装色でのグラデーションを形成した管状体を得る塗装方法について記載されている。また特許文献２では、管状体を軸線方向に鉛直となるように配置し、管状体を軸線廻りに回転させながら、塗料噴霧装置の吹出し口を上下に移動させつつ噴霧し、塗料吹出し部の上下移動範囲と管状体との領域に隔壁を設けて、その吹付けの有無によりグラデーションを形成した管状体を得る塗装方法が記載されている。
【０００４】
このように従来の手法では、グラデーションの長さの調整は難しく、一定長さで得られていた。今回は、塗装噴霧口の角度の調整を行うことで任意のグラデーション幅を有した管状体を得ることを行った。
【先行技術文献】
【特許文献】
【０００５】
【特許文献１】特開２００７−１１１１７６号公報
【特許文献２】特開２００７−２２２５５０号公報
【発明の概要】
【発明が解決しようとする課題】
【０００６】
本発明は、塗料噴霧装置を用いて、グラデーション長さが調整された管状体を得るための塗装方法の構築を目的とする。
【課題を解決するための手段】
【０００７】
本発明者らは鋭意検討した結果、管状体でのグラデーション塗装に着目し、本発明を完成するに至った。即ち本発明の要旨は、下記［１］〜［６］に存する。
【０００８】
［１］  噴霧塗布装置または管状体の固定装置がリニアガイドに沿って移動する構造を有する装置を用いて塗布する方法であって、
（工程１）塗料噴霧装置の吹き出し角度を任意の角度に変更する工程
（工程２）塗料噴霧装置または管状体の固定装置をリニアガイドにそって移動させながら周方向に回転している管状体に塗料を噴霧し、軸線方向にグラデーションを形成する工程を有する管状体の塗装方法。
【０００９】
［２］  噴霧塗布装置がリニアガイドに沿って移動する構造を有する装置を用いて管状体を塗布する方法であって、
（工程１）塗料噴霧装置の吹き出し角度を任意の角度に変更する工程
（工程２）塗料噴霧装置または管状体の固定装置をリニアガイドにそって移動させながら周方向に回転している管状体に塗料を噴霧し、軸線方向にグラデーションを形成する工程を有する管状体の塗装方法。
【００１０】
［３］  塗料噴霧装置を管状体に対して垂直に保持している状態を水平方向とし、塗料噴霧装置を管状体と同じ軸線状に対して角度を変える方向を垂直方向とすると、塗料噴霧装置の吹き出し角度を水平方向から垂直方向に任意の角度動かかし固定することで軸線方向のグラデーション幅を調整する塗装方法。
【００１１】
［４］  リニアガイドに沿って移動する噴霧塗布装置と管状体との距離を移動させることにより、軸線方向のグラデーション幅を調整する塗装方法。
【００１２】
［５］  塗料噴霧装置または管状体の固定装置の移動速度を変化させることにより、更に管状体の軸線方向にグラデーションを形成する上記［１］〜［４］のいずれかに記載の塗布方法。
【００１３】
［６］  リニアガイドが鉛直方向に設けられていることを特徴とする上記［１］〜［５］のいずれかに記載の塗布方法。
【発明の効果】
【００１４】
本発明の管状体の塗布方法により、塗料噴霧装置を用いて、グラデーション長さが調整された管状体を提供することができる。
【図面の簡単な説明】
【００１５】
【図１】本発明の塗布装置の一例を示す図である。
【図２】吹き出し口を水平方向に固定している状態を示す図である。
【図３】吹き出し角度を同じ軸線状に対して４５度垂直方向に動かして固定した状態を示す図である。
【図４】軸線方向のグラデーションを示す図である。
【発明を実施するための形態】
【００１６】
本発明の塗布方法は、噴霧塗布装置または管状体の固定装置がリニアガイドに沿って移動する構造を有する装置を用いて塗布する方法であり、（工程１）塗料噴霧装置の吹き出し角度を任意の角度に変更する工程と、（工程２）塗料噴霧装置または管状体の固定装置をリニアガイドにそって移動させながら管状体に塗料を噴霧し、軸線廻り方向にグラデーションを形成する工程を有する管状体の塗装方法である。
【００１７】
＜管状体＞
本発明における管状体とは、釣竿、ゴルフクラブにおけるシャフト、テニスラケット、スキー板及びスキーストック等に使用されるスポーツ用品用シャフトである。管状体としては、炭素繊維強化樹脂を積層してなるもの、アラミド繊維強化樹脂を積層してなるもの、その他に、ボロン繊維、炭化ケイ素繊維、アルミナ繊維、スチール繊維などの繊維で強化された繊維強化樹脂からなるものなどが挙げられる。強度やスポーツ用品としての性能の観点から、炭素繊維強化樹脂を積層してなる管状体が好ましい。
【００１８】
＜塗布装置＞
本発明において管状体を塗布するために用いる塗布装置の一例を図１に示す。本発明の塗布装置は、図１に示すように噴霧塗布装置（ロ）、リニアガイド（ハ）、固定装置（ニ）により構成されている。本発明の塗布装置は、噴霧塗布装置（ロ）または管状体の固定装置（ニ）がリニアガイド（ハ）に沿って移動する構造を有する。リニアガイド（ハ）に沿って噴霧塗布装置（ロ）または周方向に回転している管状体（イ）が移動することで管状体への塗装を行うことが可能になる。
【００１９】
先に述べた通り、本発明の装置は噴霧塗布装置（ロ）または管状体の固定装置（ニ）がリニアガイド（ハ）に沿って移動する構造を有するが、管状体の固定装置（ニ）が移動する構造の場合は管状体の軸線長さの２倍の作業スペースが必要になる。従って、噴霧塗布装置（ロ）がリニアガイド（ハ）に沿って移動する構造を有するものが好ましい。
【００２０】
＜＜噴霧塗布装置＞＞
本発明で用いる噴霧塗布装置（ロ）は、噴霧塗布可能なものであれば使用することができ、公知の塗布噴霧装置を用いることができる。例えば、エアー吹付圧力調整や吸い上げ式等のスプレーガンタイプのもの、水へ圧力調整を行い、ノズルから散布するスプリンクラータイプ等が使用できる。
【００２１】
＜＜リニアガイド＞＞
リニアガイド（ハ）は、図１に示すように、噴霧塗布装置（ロ）または管状体の固定装置（ニ）を軸線方向に平行に移動させるためのガイドである。管状体から一定距離を隔てて塗料の塗布を行うため、このガイドは直線状に形成されている。本発明においては、製造設備のコンパクト化の観点から、リニアガイドが鉛直方向に設けられていることが好ましい。
【００２２】
＜＜管状体の回転速度＞＞
塗料を噴霧される際、管状体は周方向に回転しながら塗装されている。回転速度が速いほど、均一化された色目の管状体が得られる。この回転速度は  の範囲が好ましく、品位の保たれた管状体を得ることが可能になる。    
【００２３】
＜＜塗料噴霧装置の角度調整＞＞
塗料噴霧装置の吹き出し角度を水平方向から垂直方向に任意の角度の状態に固定することで軸線廻り方向のグラデーション幅を調整することを可能にする。水平方向での固定とは、塗料噴霧装置を管状体に対して水平に保持している状態を言い、垂直方向に任意の角度の状態で固定するとは、塗料噴霧装置を管状体と同じ軸線状に対して角度を変える方向を指す。ここで吹き出し口を水平方向に固定している角度の状態を０度とすると、一般的に吹き出し角度は、塗料の排気量を減らすために水平方向である０度に固定することが多い。しかしグラデーション幅を大きくとるために吹き出し角度を同じ軸線状に対して垂直方向に任意の角度の状態で固定することで可能になる。この角度の範囲として、−６０度〜０度及び０度〜６０度の範囲が好ましく、品位の確保された管状体を得ることが可能になる。角度が０度に近いほど、グラデーション幅が狭くなり、０度から大きくなるほど、あるいは０度から小さくなるほど、グラデーション幅が長い管状体が得られる。更に、調整角度を６０度より大きくすると、または−６０℃より小さくなると、グラデーションの調整が困難になり、色の管理ができなくなる。具体的に吹き出し口を水平方向に固定している状態を図２に示し、吹き出し角度を同じ軸線状に対して４５度垂直方向に動かして固定した状態を図３に示す。
なお、管状体の軸線方法のグラデーションとは、図４に示すように、管状体の軸線方向で濃淡を有するグラデーションである。塗料噴霧装置（ロ）を軸線方向に動かすことで、軸線廻りに対して、濃淡を表現することが可能になる。
【００２４】
＜＜塗料＞＞
本発明における塗料とは、管状体に意匠性を持たせたり、光沢・平滑性を持たせるために塗布するものである。塗料としては、アクリル樹脂系塗料、ポリウレタン樹脂系塗料、フッ素樹脂系塗料、シリコン樹脂系塗料、メラミン樹脂系塗料が挙げられ、市販のものを使用することができる。塗料の耐久性、作業性の観点から、アクリル系塗料、ポリウレタン系塗料が好ましい。
【００２５】
＜＜塗料噴霧装置または管状体の固定装置の移動速度及び塗料噴霧量の制御方法＞＞
塗料噴霧装置（ロ）または管状体の固定装置（ニ）の移動速度及び塗料噴霧量は、互いに独立して制御されている。よって塗料噴霧装置（ロ）もしくは管状体の固定装置（ニ）の移動速度は、塗料噴霧装置（ロ）の塗料噴霧量とは、独立して制御される。制御は公知の制御方法を用いればよく、それぞれ制御部によりなされる。制御部は、制御条件を入力する入力部を有しており、典型的にはＣＰＵ、メモリを備えている装置にて制御を行っている。
【実施例】
【００２６】
以下、実施例に基づき本発明を具体的に説明する。
【００２７】
本発明における塗装は図１に示す装置にて行った。この装置は、噴霧塗布装置（ロ）、リニアガイド（ハ）、管状体の固定装置（ニ）にて形成されている。
【００２８】
以下実施例では、下記のものを用いた。
【００２９】
管状体：長さ１１６８ｍｍの、炭素繊維強化プラスチック製ゴルフシャフト用素管
塗料：アクリル系塗料    
（ミクニペイント社製、カラークリヤオレンジＩＩ   品番：９−８−５３６０）
（実施例１）
管状体を周方向に回転させながら塗料を噴霧することで塗装を行った。その際、噴霧塗布装置（ロ）は、管状体に対して水平状態に保持し、リニアガイド（ハ）に沿って軸線方向と平行方向に移動させることで、軸線方向全体への塗料を塗布し、２０ｍｍの幅を有したグラデーション幅管状体を得た。今回の塗料噴霧量は２５０ｍＬ／ｍｉｎにて行い、移動速度は２０ｃｍ／ｓｅｃにて行った。２０ｍｍ幅のグラデーションを有した管状体が得られた。
【００３０】
（実施例２）
管状体を周方向に回転させながら塗料を噴霧することで塗装を行った。その際、噴霧塗布装置（ロ）は、管状体に対して水平状態から、管状体と同じ軸線状に対して４５度角度を変えた位置に保持し、リニアガイド（ハ）に沿って軸線方向と平行方向に移動させることで、軸線方向全体への塗料を塗布し、５０ｍｍの幅を有したグラデーション幅管状体を得た。今回の塗料噴霧量は２５０ｍＬ／ｍｉｎにて行い、移動速度は２０ｃｍ／ｓｅｃにて行った。４０ｍｍ幅のグラデーションを有した管状体が得られた。
【００３１】
（実施例３）
塗料噴霧装置の移動速度を変化させることにより、管状体のグラデーション幅を調整することが可能になる。例えば、吹出し量を２５０ｍＬ／ｍｉｎに設定し、塗料噴霧装置（ロ）の移動速度の範囲として２０ｃｍ／ｓｅｃに設定し、
噴霧塗布装置（ロ）を管状体に対して水平状態に保持した状態でグラデーションを行うことで２０ｍｍの幅を有した管状体が得られるが、塗料噴霧装置の移動速度を段階的に４０ｃｍ／ｓｅｃまでに変化させることで、４０ｍｍのグラデーション幅を有した管状体が得られた。
【００３２】
（実施例４）
実施例３に記したように、塗料噴霧装置の移動速度の変化及び塗料噴霧装置を管状体と同じ軸線状に対して角度を変えることで、管状体のグラデーション幅を調整することが可能になる。例えば、吹出し量を２５０ｍＬ／ｍｉｎに設定し、塗料噴霧装置（ロ）の移動速度の範囲として２０ｃｍ／ｓｅｃに設定し、噴霧塗布装置（ロ）は、管状体に対して水平状態から、管状体と同じ軸線状に対して４５度角度を変えた位置に保持しグラデーションを行うことで、６０ｍｍのグラデーション幅を有した管状体が得ることができる。
【符号の説明】
【００３３】
イ    管状体
ロ    噴霧塗布装置
ハ    リニアガイド
ニ    固定装置
ホ    リニアガイドの軸線方向
ヘ    管状体の軸線方向
【図１】
2016010772.tif 000003
【図２】
2016010772.tif 000004
【図３】
2016010772.tif 000005
【図４】
2016010772.tif 000006